(57)【特許請求の範囲】
【請求項１】
洗浄液収納容器と該容器の口部に装着可能な支持台とからなるトイレ用の洗浄液注出用具であって、
収納容器は、口部にシール筒を具えた中栓を嵌着し、
肩部に係止部とテーパー面とからなる制御部を配設しており、
支持台は、内部を空気流入路とし、外周面に注出路として長さの異なる縦溝を刻設し、中栓のシール筒に嵌合する流量調節筒を中央に立設し、周辺部に容器の上下動制御部に係合する操作杆を立設しており、
支持台の流量調節筒を容器口部に差し込み、容器を廻動させることによって流量調節筒に対して上下動させ、最下降位置では、全ての縦溝の端部を封鎖して流出を止め、上昇時に、長さの異なる縦溝の端部を順次開放し、流出量を調節するようにしたことを特徴とするトイレ用の洗浄液注出容器の流量調整機構。
【発明の詳細な説明】
【０００１】
【発明の属する技術分野】
本発明は、消臭洗浄液等の注出容器の流量調整機構に関する。
【０００２】
【従来の技術】
消臭洗浄剤等を収納した容器を、トイレの貯水タンクの水受け皿上に置いて、貯水タンクに供給する給水管の蛇口からの水を通じるようにした消臭洗浄剤容器は、従来より知られている。
また、消臭洗浄液を収納した容器を用い、内容液を流出孔から常時流出するようにした消臭洗浄液注出容器も従来より知られている。
【０００３】
【発明が解決しようとする課題】
しかしながら、前者の消臭洗浄剤容器は、水溶性の固形物を用いているため、蛇口からの水が容器に直接降りかからないときには、洗浄剤を流出させることができず、また、洗浄剤の流出量を調節することはできないという問題があった。
【０００４】
また、後者の洗浄液注出容器は、使用開始時に容器と保持台の相対位置を調節し、内容液の流出量を調節するようにしていたが、使用中においては簡単に調節できるようにはなっていなかった。
そのため、トイレの使用者が家族と時たま訪れる訪問客だけで使用者がほぼ一定しているときはよいが、多数の訪問客、泊まり客があるときには使用者の増加に対応して内容液流出量を調節することができず、洗浄液が不足するという問題があった。
また、家族の誰かが家を留守にしてトイレを使用しないとき、家族全員が旅行するときには、内容液を無駄に流しておくという問題があった。
【０００５】
本発明は、上記の問題点を考慮して、使用者の増減に応じて消臭洗浄液の流出量を調節できるようにしたトイレ用消臭洗浄液注出容器を提供することを目的とする。
【０００６】
【課題を解決するための手段】
本発明は、上記の課題を解決するため、トイレ用の洗浄液注出容器の流量調整機構として、洗浄液収納容器と該容器の口部に装着可能な支持台とからなるトイレ用の洗浄液注出用具であって、収納容器は、口部にシール筒を具えた中栓を嵌着し、肩部に係止部とテーパー面とからなる制御部を配設しており、支持台は、内部を空気流入路とし、外周面に注出路として長さの異なる縦溝を刻設し、中栓のシール筒に嵌合する流量調節筒を中央に立設し、周辺部に容器の上下動制御部に係合する操作杆を立設しており、支持台の流量調節筒を容器口部に差し込み、容器を廻動させることによって流量調節筒に対して上下動させ、最下降位置では、全ての縦溝の端部を封鎖して流出を止め、上昇時に、長さの異なる縦溝の端部を順次開放し、流出量を調節するようにしたことを特徴とする構成を採用する。
【０００７】
【発明の実施の形態】
次に、本発明の実施形態について、図面を参照して説明する。
図１は、本発明容器を示す図で、Ａは消臭洗浄液、或いは芳香洗浄液、殺菌洗浄液等の収納容器、Ｂは容器Ａの支持台である。
容器Ａは、図１〜３に示すように、口部１と肩部２、胴部３と底部４とからなっており、口部１外周に膨出部５を突設した縮径部６と、ねじ７とその下方にネックリングを設けた拡径部８とからなっている。
容器Ａの口部１には、中栓Ｃが嵌着されており、仮キャップＤが螺着されている。
【０００８】
肩部２には、等間隔に配置された４つの係止部１０と、隣り合う係止部１０の間で外周に沿って設けられた一定巾の左下がりのテーパー面１１とからなる四個の制御部１２が周方向に配設されており、係止部１０の両側は、テーパー面１１の左右端部に対応して高さを異にする長係止面１０ａ、短係止面１０ｂとなっている。
【０００９】
中栓Ｃは、外筒１５と上壁１６、内筒１７とからなっており、外筒１５内周には、口部１の膨出部５の下側に係合する膨出環１８が設けられている。
内筒１７は、上筒部１９と、それより下方に延び縮径されたシール筒２０とからなっており、上筒部１９の外周は、容器Ａの口部１内周に嵌合され、容器Ａ内部を密封している。
【００１０】
仮キャップＤは、頂壁２５と側周壁２６とからなっており、頂壁２５には、中栓Ｃの上筒部１９に嵌合する密封リング２７が垂設されており、側周壁２６内周には、容器Ａ口部１のねじ７に螺合するねじ２８が刻設されている。
【００１１】
図４に示すように、支持台Ｂは、支持板３０と支持板３０の中央に立設された有頂の流量調節筒３１とを具えており、支持板３０の周辺部は等間隔をおいて四ヶ所に操作杆３２が立設されている。
支持板３０には、流量調節筒３１と操作杆３２との間に開口３３が穿孔されており、下面には、操作杆３２に対応する位置に支持片３４が垂設されている。
【００１２】
流量調節筒３１の内側は空気流入路となっており、頂部３５には、空気流入孔３６が穿孔されている。
流量調節筒３１外周の下方部は拡径部３７となっており、液流出路を形成する長さを異にする長縦溝３８、短縦溝３９が周方向に一定間隔を置いて刻設されている。その数は複数対であってもよい。
【００１３】
それぞれの縦溝の角度位置は、図６（ａ）に示すよう長縦溝３８は隣り合う操作杆３２の中央よりやや左寄りに、短縦溝３９は右側の操作杆３２の近くに位置しており、操作杆３２は、内部を中空とした有頂筒体４０と、その内側に連設されたリブ４１とからなっている。
【００１４】
次に、本容器の使用態様と作用効果について説明する。
容器Ａの使用にあたっては、図１に示すように、まず、仮キャップＤを外して容器口部１を開き、支持台Ｂを上下反対とし、その流量調節筒３１を、容器Ａ内の中栓Ｃの内筒１７内に操作杆３２がテーパー面１１に接するまで差し込み、次いで、支持台Ｂを廻動させて操作杆３２をテーパー面１１に接しながら下降させ、長係止面１０ａに接するまで廻動させると、支持台Ｂを最下降位置まで押下げることになる。
このときには、長縦溝３８、短縦溝３９はいずれも中栓Ｃの縮径されたシール筒２０によってシールされる。
【００１５】
次に、図５（ａ）に示すように、容器Ａを倒立させてトイレの貯水タンク上に置き、支持台Ｂに対して容器Ａを反時計方向に廻動させると、操作杆３２に対して容器Ａのテーパー面１１が接触する位置が変わり、容器Ａが上昇する。
【００１６】
図６（ｂ）に示すように、操作杆３２がテーパー面１１のほぼ中央部に位置するまで容器Ａを廻動させると、長縦溝３８の下端がシール筒２０より露出され、流出孔３８ａが形成され、流出孔３８ａより内容液が流出する。
容器Ａをさらに廻動させ、操作杆３２を係止面１０ｂに接するまで廻動させると、図５（ｂ），図６（ｃ）に示すように、短縦溝３９の下端がシール筒２０より露出され、流出孔３９ａが形成され、流出孔３８ａとともに二つの流出孔が開孔され、内容液の流量が増加する。
【００１７】
したがって、容器の廻動位置を調節することによって、長縦溝３８のみ、或いは長縦溝３８、短縦溝３９の双方の下端を開くことによって流出する内容液の流量を二段に調整することができる。
【００１８】
前記実施形態では、縦溝を長短二種の縦溝としたが、この中間に中間の長さの縦溝を配設して流量を三段に調整するようにしてもよい。
さらに、縦溝の本数、縦溝の形状等を変更することによって、流量を複数段に調節するようにしてもよい。
【００１９】
また、内容液の粘度に応じ、必要な流量を得るため、縦溝の深さ、巾、注出孔の大きさ、数を変えること等は、適宜選択できることである。
【００２０】
【発明の効果】
本発明は、上記のように構成されているから、次の効果を奏する。
容器を廻動させることよって、支持台に対して容器を上昇させ、支持台に立設した流量調節筒の複数の流出孔を順次開孔するようにしたから、流量の調節が簡単にできるようになった。
したがって、洗浄液容器の使用中に、使用者の増減に応じて流量を調整し、洗浄、消臭液の流出を適性化し、洗浄液を無駄なく使用できるようになった。
【図面の簡単な説明】
【図１】本発明洗浄液注出容器の一部断面正面図である。
【図２】液収納容器の説明図で、（ａ）はキャップ、（ｂ）は容器の一部断面正面図である。
【図３】容器の説明図で、（ａ）は上面図、（ｂ）は正面図である。
【図４】支持台の説明図で、（ａ）は斜視図、（ｂ）は上面図である。
【図５】  容器使用時の説明図で、（ａ）は載置時、（ｂ）は容器廻動調整時の説明図である。
【図６】  容器使用時の流出孔開閉の説明図で、（ａ）は流出孔閉鎖時、（ｂ）は一流出孔開孔時、（ｃ）は二流出孔開孔時である。
【符号の説明】
Ａ              収納容器
Ｂ              支持台
Ｃ              中栓
Ｄ              仮キャップ
１              口部
２              肩部
３              胴部
４              底部
５              膨出部
６              縮径部
７              ねじ
８              拡径部
１０            係止部
１０ａ，１０ｂ  係止面
１１            テーパー面
１２            制御部
１５            外筒
１６            上壁
１７            内筒
１８            膨出環
１９            上筒部
２０            シール筒
２５            頂壁
２６            側周壁
２７            密封リング
２８            ねじ
３０            支持板
３１            流量調節筒
３２            操作杆
３３            開口
３４            支持片
３５            頂部
３６            空気流入孔
３７            拡径部
３８            長縦溝
３８ａ，３９ａ  流出孔
３９            短縦溝
４０            有頂筒体
４１            リブ
【図１】
0003939569.tif 000002
【図２】
0003939569.tif 000003
【図３】
0003939569.tif 000004
【図４】
0003939569.tif 000005
【図５】
0003939569.tif 000006
【図６】
0003939569.tif 000007